(57)【要約】【課題】  ユーザの事前登録なしで多地点で、ある程度自由度のある範囲を指定して放送のスクランブルを解除し、多地点での特定エリアに限定した放送を簡易に行なう。【解決手段】  位置情報を取得する位置情報検出部１１と、受信した放送波からワーク鍵を抽出し、位置情報と前記ワーク鍵とを用いてスクランブル鍵を作成するスクランブル鍵作成部１４と、スクランブル鍵作成部で作成されたスクランブル鍵をデスクランブルするデスクランブル部１５とを備えた通信端末１０と、位置情報をマスタ鍵としてワーク鍵を作成するワーク鍵作成部２６と、ワーク鍵と前記マスタ鍵とから作成するスクランブル鍵で放送データをスクランブルするスクランブル部２５とを備えた放送データ送信装置２０と、を具備する。【選択図】      図１
2006157165.tif 000002
【特許請求の範囲】
【請求項１】
位置情報を取得する位置情報検出手段と、受信した放送波からワーク鍵を抽出し、前記位置情報と前記ワーク鍵とを用いてスクランブル鍵を作成するスクランブル鍵作成手段と、前記スクランブル鍵作成手段で作成されたスクランブル鍵をデスクランブルするデスクランブル手段とを備えた通信端末と、
前記位置情報をマスタ鍵としてワーク鍵を作成するワーク鍵作成手段と、前記ワーク鍵と前記マスタ鍵とから作成するスクランブル鍵で放送データをスクランブルするスクランブル手段とを備えた放送データ送信装置と、
を具備することを特徴とするエリア限定放送システム。
【請求項２】
タグＩＤ読み取り機能を用いてタグＩＤから位置に関するＩＤ情報を取得するＩＤ情報取得手段と、受信した放送波からワーク鍵を抽出し、前記ＩＤ情報と前記ワーク鍵とを用いてスクランブル鍵を作成するスクランブル鍵作成手段と、前記スクランブル鍵作成手段で作成されたスクランブル鍵をデスクランブルするデスクランブル手段とを備えた通信端末と、
前記ＩＤ情報をマスタ鍵としてワーク鍵を作成するワーク鍵作成手段と、前記ワーク鍵と前記マスタ鍵とから作成するスクランブル鍵で放送データをスクランブルするスクランブル手段とを備えた放送データ送信装置と、
を具備することを特徴とするエリア限定放送システム。
【請求項３】
スクランブルされた放送波を受信してデスクランブルを行い、放送データを視聴する通信端末であって、
位置情報を取得する位置情報検出手段と、受信した放送波からワーク鍵を抽出し、前記位置情報と前記ワーク鍵とを用いてスクランブル鍵を作成するスクランブル鍵作成手段と、前記スクランブル鍵作成手段で作成されたスクランブル鍵をデスクランブルするデスクランブル手段とを備えたことを特徴とする通信端末。
【請求項４】
放送データをスクランブルして、放送波として送信する放送データ送信装置であって、
位置情報を指定する位置情報指定手段と、前記位置情報をマスタ鍵としてワーク鍵を作成するワーク鍵作成手段と、前記ワーク鍵と前記マスタ鍵とから作成するスクランブル鍵で放送データをスクランブルするスクランブル手段とを備えたことを特徴とする放送データ送信装置。
【請求項５】
放送データをスクランブルして、放送波として送信し、スクランブルされた放送波を受信してデスクランブルを行い、エリアを限定して放送データを視聴するエリア限定放送方法であって、
位置情報を取得する位置情報検出ステップと、
受信した放送波からワーク鍵を抽出し、前記位置情報と前記ワーク鍵とを用いてスクランブル鍵を作成するスクランブル鍵作成ステップと、
前記スクランブル鍵作成ステップで作成されたスクランブル鍵をデスクランブルするデスクランブルステップと、
前記位置情報をマスタ鍵としてワーク鍵を作成するワーク鍵作成ステップと、
前記ワーク鍵と前記マスタ鍵とから作成するスクランブル鍵で放送データをスクランブルするスクランブルステップと、
を含むことを特徴とするエリア限定放送方法。
【発明の詳細な説明】
【技術分野】
【０００１】
本発明は、スクランブルされた放送波を受信してデスクランブルを行い、エリアを限定して視聴できるエリア限定放送システム、通信端末、放送データ送信装置、及びエリア限定放送方法に関する。
【背景技術】
【０００２】
スクランブルされた放送波を受信してデスクランブルを行って放送データを視聴する通信システムの従来例として、個別情報を送信しなくてもワーク鍵を変更できるようにし、セキュリティを確保できるスクランブル放送システムが記載されている（特許文献１を参照）。このシステムは、予め受信側に記憶されたビット列データを参照する範囲を特定した鍵制御情報を暗号化された共通情報に付加して伝送する手段と、鍵制御情報によって特定された範囲に記載されているビット列を復号鍵として共通情報を復号化する手段と、復号化された共通情報に含まれるスクランブル解除権を用いて前記スクランブル化された番組のスクランブルを解除する手段とを具備するもので、鍵制御情報を付加することによりワーク鍵を変更する発明である。
【０００３】
また、他の従来例として、番組関連情報に限定受信を設定できる放送システムが記載されている（特許文献２を参照）。このシステムは、送信装置が、鍵情報を格納する情報サーバの通信網における位置を示す位置情報を格納するサーバ位置情報記憶部を備えて、番組関連情報を選択するための番組関連情報を生成し、受信装置は、番組配列情報に含まれる位置情報に基づき通信網を介して鍵情報を要求し、情報サーバは、鍵情報の要求を受信したら、契約内容に適合する場合に鍵情報を通信網を介して受信装置に送出する発明である。
【特許文献１】特開２００４−２０８１０７号公報
【特許文献２】特開２００４−０１５３７５号公報
【発明の開示】
【発明が解決しようとする課題】
【０００４】
しかしながら、上述した従来例では、予めユーザの識別情報（マスター鍵）を放送元に通知することで、個々のマスター鍵から放送元でユーザ単位の鍵情報（ワーク鍵）を作成し、ユーザはその情報を受信してマスター鍵からスクランブル鍵を作成し、スクランブルデータをデスクランブルしているため、いかなる場合も事前の放送元へのマスター鍵通知がデスクランブルの前提となっていた。
【０００５】
このため、多地点でのイベント、店舗のエリア内放送など、多地点での特定エリアに限定した放送を簡易に行なうことはできなかった。
本発明は、上述した事情に鑑みてなされたものであって、ユーザの事前登録なしで多地点で、ある程度自由度のある範囲を指定して放送のスクランブルを解除し、多地点での特定エリアに限定した放送を簡易に行なうエリア限定放送システム、通信端末、放送データ送信装置、エリア限定放送方法を提供することを目的としている。
【課題を解決するための手段】
【０００６】
上記課題を解決するために、請求項１記載のエリア限定放送システムは、
位置情報を取得する位置情報検出手段と、受信した放送波からワーク鍵を抽出し、前記位置情報と前記ワーク鍵とを用いてスクランブル鍵を作成するスクランブル鍵作成手段と、前記スクランブル鍵作成手段で作成されたスクランブル鍵をデスクランブルするデスクランブル手段とを備えた通信端末と、前記位置情報をマスタ鍵としてワーク鍵を作成するワーク鍵作成手段と、前記ワーク鍵と前記マスタ鍵とから作成するスクランブル鍵で放送データをスクランブルするスクランブル手段とを備えた放送データ送信装置と、を具備することを特徴とする。この構成によれば、視聴可能とするエリア内にいることを示す緯度経度などの位置情報をマスター鍵として利用することで、ユーザが予めマスター鍵を放送元へ通知することなく、指定されたエリアに入るだけでデスクランブルできるため、事前に放送元へのマスター鍵通知をすることなく、放送等の視聴を簡易に行なうことができるという効果が得られる。
【０００７】
また、請求項２記載のエリア限定放送システムは、
タグＩＤ読み取り機能を用いてタグＩＤから位置に関するＩＤ情報を取得するＩＤ情報取得手段と、受信した放送波からワーク鍵を抽出し、前記ＩＤ情報と前記ワーク鍵とを用いてスクランブル鍵を作成するスクランブル鍵作成手段と、前記スクランブル鍵作成手段で作成されたスクランブル鍵をデスクランブルするデスクランブル手段とを備えた通信端末と、前記ＩＤ情報をマスタ鍵としてワーク鍵を作成するワーク鍵作成手段と、前記ワーク鍵と前記マスタ鍵とから作成するスクランブル鍵で放送データをスクランブルするスクランブル手段とを備えた放送データ送信装置と、を具備することを特徴とする。この構成によれば、視聴可能とするエリア内にいることを示すタグＩＤからの位置情報をマスター鍵として利用することで、ユーザが予めマスター鍵を放送元へ通知することなく、指定されたエリアに入るだけでデスクランブルできるため、事前に放送元へのマスター鍵通知をすることなく、放送等の視聴を簡易に行なうことができるという効果が得られる。
【０００８】
また、請求項３記載の通信端末は、
スクランブルされた放送波を受信してデスクランブルを行い、放送データを視聴する通信端末であって、位置情報を取得する位置情報検出手段と、受信した放送波からワーク鍵を抽出し、前記位置情報と前記ワーク鍵とを用いてスクランブル鍵を作成するスクランブル鍵作成手段と、前記スクランブル鍵作成手段で作成されたスクランブル鍵をデスクランブルするデスクランブル手段とを備えたことを特徴とする。この構成によれば、ユーザが予めマスター鍵を放送元へ通知することなく、指定されたエリアに入るだけでデスクランブルできる通信端末を提供することができ、ユーザが事前に放送元へのマスター鍵通知をすることなく、放送等の視聴を簡易に行なうことができるという効果が得られる。
【０００９】
また、請求項４記載の放送データ送信装置は、
放送データをスクランブルして、放送波として送信する放送データ送信装置であって、位置情報を指定する位置情報指定手段と、前記位置情報をマスタ鍵としてワーク鍵を作成するワーク鍵作成手段と、前記ワーク鍵と前記マスタ鍵とから作成するスクランブル鍵で放送データをスクランブルするスクランブル手段とを備えたことを特徴とする。この構成によれば、視聴可能とするエリア内にいることを示す緯度経度などの位置情報をマスター鍵として利用する放送データ送信装置を提供することができ、ユーザが事前に放送元へのマスター鍵通知をすることなく、放送等の視聴を簡易に行なうことができるという効果が得られる。
【００１０】
また、請求項５記載のエリア限定放送方法は、
放送データをスクランブルして、放送波として送信し、スクランブルされた放送波を受信してデスクランブルを行い、エリアを限定して放送データを視聴するエリア限定放送方法であって、位置情報を取得する位置情報検出ステップと、受信した放送波からワーク鍵を抽出し、前記位置情報と前記ワーク鍵とを用いてスクランブル鍵を作成するスクランブル鍵作成ステップと、前記スクランブル鍵作成手段で作成されたスクランブル鍵をデスクランブルするデスクランブルステップと、前記位置情報をマスタ鍵としてワーク鍵を作成するワーク鍵作成ステップと、前記ワーク鍵と前記マスタ鍵とから作成するスクランブル鍵で放送データをスクランブルするスクランブルステップと、を含むことを特徴とする。この構成によれば、視聴可能とするエリア内にいることを示す緯度経度などの位置情報をマスター鍵として利用することで、ユーザが予めマスター鍵を放送元へ通知することなく、指定されたエリアに入るだけでデスクランブルできるため、事前に放送元へのマスター鍵通知をすることなく、放送等の視聴を簡易に行なうことができるという効果が得られる。
【発明の効果】
【００１１】
以上説明したように、本発明の構成によれば、視聴可能とするエリア内にいることを示す位置情報（タグＩＤ、緯度経度など）をマスター鍵として利用することで、ユーザが予めマスター鍵を放送元へ通知することなく、指定されたエリアに入るだけでデスクランブルできるため、事前に放送元へのマスター鍵通知をすることなく、放送等の視聴を簡易に行なうことができるという効果が得られる。
また、本発明の構成によれば、多地点でのイベント、店舗のエリア内放送などの視聴を簡易に行なうことができるという効果が得られる。
【発明を実施するための最良の形態】
【００１２】
以下、図面を参照して、本発明の実施形態に係るエリア限定放送システムについて詳細に説明する。
図１は、本発明のエリア限定放送システムの構成を示すブロック図である。図１（ａ）は通信端末、図１（ｂ）は放送データ送信装置を示す。
図１（ａ）に示すように、通信端末１０は、その内部に位置情報を取得する位置情報検出部１１と、放送波を受信する受信インターフェース１２と、放送波からワーク鍵作成情報を抽出しマスタ鍵を作成するマスタ鍵作成部１３と、ワーク鍵とマスタ鍵とからスクランブル鍵を作成するスクランブル鍵作成部１４と、作成したスクランブル鍵で放送波をデスクランブルするデスクランブル部１５と、デスクランブルした放送データを表示するディスプレイ部１６を有する。上述した位置情報には、例えばＧＰＳ（Ｇｌｏｂａｌ  Ｐｏｓｉｔｉｏｎｉｎｇ  Ｓｙｓｔｅｍ）を用いて取得した緯度経度情報や、タグＩＤ読み取り機能等を用いてタグＩＤから取得した位置に関するＩＤ情報等がある。
【００１３】
図１（ｂ）に示すように、放送データ送信装置２０は、その内部に放送波を送信する送信インタフェース２１と、放送データ２２と、緯度経度またはタグＩＤのＩＤ情報により確定される位置情報を指定する位置情報指定部２３と、指定した位置情報に基づいてマスター鍵を作成するマスター鍵作成部２４と、スクランブル鍵で放送波をスクランブルするスクランブル部２５と、マスタ鍵からワーク鍵を作成するためのワーク鍵作成部２６とを有する。
【００１４】
図２は、本発明のエリア限定放送システムにおけるデスクランブル方法を示すシーケンス図である。この図は、位置情報によりスクランブルデータをデスクランブルする手順を示す。
同図に示すように、放送データ送信装置２０の放送データ２２は、スクランブル部２５に放送データを送られ（ステップＳ１１）、スクランブル部２５は、受け取った放送データを暗号化し（ステップＳ１２）、暗号化に使用したスクランブル鍵をワーク鍵作成部２６に送る（ステップＳ１３）。そして、スクランブルした放送データを、送信インタフェース２１，通信端末１０の受信インターフェース経由で通信端末１０のデスクランブル部１５へ送信する（ステップＳ１４）。
【００１５】
次に、放送データ送信装置２０のワーク鍵作成部２６は、マスタ鍵作成部２４にマスタ鍵要求信号を送信すると（ステップＳ１５）、マスタ鍵作成部２４は位置情報指定部２３で指定されている位置情報を参照し（ステップＳ１６）、この位置情報からマスター鍵を作成し（ステップＳ１７）、これをワーク鍵作成部２６へ送る（ステップＳ１８）。
ワーク鍵作成部２６は受信したマスター鍵を暗号化してワーク鍵を作成し（ステップＳ１９）、送信インターフェース２１，通信端末１０の受信インターフェ−ス１２経由でスクランブル鍵作成部１４へワーク鍵データを送信する（ステップＳ２０，Ｓ２１）。
【００１６】
スクランブル鍵作成部１４は、ワーク鍵データを受信すると、マスター鍵作成部１３へマスタ鍵要求信号を送信する（ステップＳ２２）。マスタ鍵作成部１３は、要求信号を受信すると、位置情報検出部１１で検出した位置情報を参照し（ステップＳ２３）、この位置情報からマスタ鍵を作成し（ステップＳ２４）、スクランブル鍵作成部１４へ送信する（ステップＳ２５）。
【００１７】
スクランブル鍵作成部１４は、ワーク鍵をマスター鍵で復号し、スクランブル鍵を作成し（ステップＳ２６）、デスクランブル部１５へスクランブル鍵を送信する（ステップＳ２７）。
デスクランブル部１５は、先に受信したスクランブル放送データをスクランブル鍵でデスクランブルし（ステップＳ２８）、放送データを抽出してディスプレイ部１６へ送信する（ステップＳ２９）。ディスプレイ部１６は、受信した放送データをディスプレイ上に表示する（ステップＳ３０）。
【００１８】
図３は、本発明のエリア限定放送システムにおけるマスタ鍵作成処理を示すフローチャートである。図３（ａ）は放送データ送信装置のマスタ鍵作成部における処理例、図３（ｂ）は通信端末のマスタ鍵作成部における処理例を示す。
図３（ａ）に示すように、放送データ送信装置のマスタ鍵作成部２４においては、スクランブル鍵を受信すると（ステップＳ３１）、位置情報指定部２３からの位置情報（緯度経度）を参照し（ステップＳ３２）、当該位置情報を使用してスクランブル鍵を暗号化し、ワーク鍵を作成する（ステップＳ３３）。
【００１９】
なお、位置情報は、その指定範囲により、複数の緯度経度が指定されることがあるため、ワーク鍵は複数個作成される場合がある。複数のワーク鍵が作成された場合、通信端末１０側でどのワーク鍵を使用すればよいかを判別するために、通信端末１０の位置情報で復号した場合に、正常に復号されたことを判別可能なビット列を出現できるようにする。
【００２０】
作成されたワーク鍵は、ワーク鍵であることが識別可能な識別子を付与し（ステップＳ３４）、送信インターフェース２１経由で通信端末１０のマスター鍵作成部１３へ送信される（ステップＳ３５）。
そして、参照すべき位置情報が終了したか否かを判別し（ステップＳ３６）、位置情報が終了していない場合は、ステップＳ３２へ戻り同様の処理を繰り返す。位置情報が終了した場合は、処理を終了する（ステップＳ３７）。
【００２１】
図３（ｂ）に示すように、通信端末１０のマスタ鍵作成部１３においては、受信インタフェース１２経由でデータを受信すると（ステップＳ３８）、当該データがワーク鍵であるかどうかを検出し（ステップＳ３９）、ワーク鍵であれば、位置情報検出部１１からの位置情報（緯度経度）を参照して位置情報を抽出し（ステップＳ４０）、抽出した位置情報を利用して復号化を行なう（ステップＳ４１）。ステップＳ３９においてワーク鍵でない場合は他の処理を行なう。
【００２２】
そして、位置情報による復号化により正常復号信号を検出したら（ステップＳ４２）、当該復号データをスクランブル鍵として認識し（ステップＳ４３）、デスクランブル部１５へ当該スクランブル鍵を送信する（ステップＳ４４）。
ステップＳ４２において、正常復号信号を検出しなければ、処理を終了する（ステップＳ４５）。
【００２３】
以上説明したように、本発明によれば、視聴可能とするエリア内にいることを示す位置情報（タグＩＤ、緯度経度など）をマスター鍵として利用することで、ユーザが予めマスター鍵を放送元へ通知することなく、指定されたエリアに入るだけでデスクランブル可能となる。
また、多地点でのイベント、店舗のエリア内放送等の視聴を簡易に行なうことが可能となる。
【００２４】
なお、図２のシーケンス図および図３のフローチャートに示す処理を実行するにあたっては、いずれも、各装置内のＲＯＭに予め格納されている制御プログラムを実行するものであるが、これに限らず、これらの手順を示したプログラムが記録された記憶媒体から、そのプログラムをＲＡＭに組み込んで実行するようにしても良い。あるいは、そのプログラムをネットワークから取得しても良い。
【００２５】
以上、本発明をその実施形態によって説明してきたが、本発明は、この実施形態に限定されることなく、本発明の趣旨を逸脱しない範囲で種々の変更が可能である。例えば、上述した実施形態においては、ＧＰＳまたはタグＩＤを使用して位置情報を取得したが、他の方法によって位置情報を取得するように構成することもできる。
【図面の簡単な説明】
【００２６】
【図１】本発明の実施形態に係るエリア限定放送システムの構成を示すブロック図である。（ａ）は通信端末、（ｂ）は放送データ送信装置を示す。
【図２】本発明の実施形態に係るエリア限定放送システムにおけるデスクランブル方法を示すシーケンス図である。
【図３】本発明の実施形態に係るエリア限定放送システムにおけるマスタ鍵作成処理手順を示すフローチャートである。（ａ）は放送データ送信装置におけるマスタ鍵作成処理、（ｂ）は通信端末におけるマスタ鍵作成処理を示す。
【符号の説明】
【００２７】
１０…通信端末、１１…位置情報検出部、１２…受信インターフェース、１３…マスタ鍵作成部、１４…スクランブル鍵作成部、１５…デスクランブル部、１６…ディスプレイ部、２０…放送データ送信装置、２１…送信インターフェース、２２…放送データ、２３…位置情報指定部、２４…マスタ鍵作成部、２５…スクランブル部、２６…ワーク鍵作成部
【図１】
2006157165.tif 000003
【図２】
2006157165.tif 000004
【図３】
2006157165.tif 000005